(57)【要約】【課題】スーパーマーケット等の買物カゴ内に収容できる形状を呈する買物バッグであり、保温または保冷効果を発揮し鮮度の低下や味の劣化を防ぎ、また、不使用の際に小さく折り畳むことを可能にすることで、携帯性や収納性に適した買物バッグを提供する。【解決手段】底面材３と、該底面材３に立設された側面材４と、上部に開口部５とを有するバッグ本体２を備え、買物カゴ内に収容できる形状を呈する買物バッグ１において、前記バッグ本体２の内面側にアルミシート材１０を装着した。【選択図】図１
0003136413.tif 000002
【実用新案登録請求の範囲】
【請求項１】
底面材と、該底面材に立設された側面材と、上部に開口部とを有するバッグ本体を備え、買物カゴ内に収容できる形状を呈する買物バッグにおいて、前記バッグ本体の内面側にアルミシート材を装着したことを特徴とする買物バッグ。
【請求項２】
前記アルミシート材が、基材シートにアルミシートを接着剤により接着して形成された請求項１記載の買物バッグ。
【請求項３】
前記アルミシート材が、基材シートにアルミを蒸着して形成された請求項１記載の買物バッグ。
【請求項４】
前記バッグ本体に、該バッグ本体を底面材にて二つ折りに折り畳むことができるファスナーを装着した請求項１〜３のうちいずれか一項記載の買物バッグ。
【請求項５】
前記ファスナーが、前記バッグ本体の底面材の周囲に装着された請求項４記載の買物バッグ。
【請求項６】
前記バッグ本体の開口部に巾着材を装着した請求項１〜５のうちいずれか一項記載の買物バッグ。
【考案の詳細な説明】
【技術分野】
【０００１】
本考案は、スーパーマーケット等の買物カゴ内に収容できる買物バッグであり、詳しくは、保温または保冷効果を発揮すると共に、不使用の際、小さく折り畳むことができる買物バッグに関する。
【背景技術】
【０００２】
スーパーマーケット等で購入した商品は、買物カゴから店舗で配られるレジ袋に詰め替えて持ち帰るが、このレジ袋は使い捨てであるため莫大な処理費用が必要になる。また、製造コストが店舗側の負担となるため、レジ袋の有料化が進んでおり、今日においては、利用客が再利用可能な買物バッグを持参して買物をする傾向にある。
【０００３】
また、従来、軽量かつ簡便な構成で小さく折り畳んだ状態で手軽に持ち運ぶことができると同時に、スーパーマーケット等の店舗でのレジカゴ内への位置決めおよび商品収容が容易かつ的確に行え、しかも買物後の商品収容状態での凹凸を適度に抑制でき持ち帰りの際の体裁向上および歩行容易性が図れ、これにより携帯性、レジカゴバッグ機能性、商品収納運搬性等に優れた機能を発揮できる買物用バッグが報告されている（例えば、特許文献１参照）。
【０００４】
特許文献１記載の買物用バッグには、スーパーマーケット等の店舗で適用されるレジカゴ内寸法と略一致する箱型で、かつ上面が開口した帆布製のバッグ本体と、このバッグ本体の対向する側布に設けられた長さ調節可能な提紐兼用肩掛けバンドを備えたことを特徴としている。
【特許文献１】特開２００３−１４４２１７号公報
【考案の開示】
【考案が解決しようとする課題】
【０００５】
一般的な再利用可能な買物バッグや特許文献１記載の買物用バッグにおいては、加熱された温かい食品をバッグ内に収容しても自宅まで持ち帰る間に冷めてしまい、味や食感が損なわれてしまうという問題があった。また、冷凍食品においても、特に夏季は自宅の冷凍庫に収める前にバッグ内で溶解して鮮度が劣化する心配があった。
【０００６】
さらに、従来の買物バッグはある程度の厚みを有し、一定の大きさを呈しているため、小さく折り畳むことが困難であり、空のバッグを携帯して買物に行かなければならず、非常に煩わしかった。
【０００７】
そこで本考案は上記の点に鑑み、スーパーマーケット等の買物カゴ内に収容できる形状を呈する買物バッグであり、保温または保冷効果を発揮し鮮度の低下や味の劣化を防ぎ、また、不使用の際に小さく折り畳むことを可能にすることで、携帯性や収納性に適した買物バッグを提供することにある。
【課題を解決するための手段】
【０００８】
上記課題を解決するために本考案の買物バッグは、底面材と、該底面材に立設された側面材と、上部に開口部とを有するバッグ本体を備え、買物カゴ内に収容できる形状を呈する買物バッグにおいて、前記バッグ本体の内面側にアルミシート材を装着したことを特徴とするものである。また、前記アルミシート材が、基材シートにアルミシートを接着剤により接着または基材シートにアルミを蒸着させて形成してもよい。さらに、前記バッグ本体に、該バッグ本体を底面材にて二つ折りに折り畳むことができるファスナーを装着し、好ましくは、前記ファスナーは、前記バッグ本体の底面材の周囲に装着される。さらにまた、前記バッグ本体の開口部に巾着材を装着することができる。
【考案の効果】
【０００９】
本考案の買物バッグにおいては、バッグ本体の内面側にアルミシート材を装着することにより、加熱された食品や冷凍食品の温度を保持することができ、鮮度の低下や味の劣化を防ぐことができる。また、バッグ本体に、バッグ本体を底面材にて二つ折りに折り畳むことができるファスナーを装着することで、不使用の際、コンパクトに小さく折り畳むことができ、携帯や収納が容易になり利便性が向上する。
【考案を実施するための最良の形態】
【００１０】
以下、本考案における買物バッグの実施の形態を図面に基づいて説明する。
図示する買物バッグ１は、スーパーマーケット等に設置されている買物カゴＡ内に収容できる形状を呈する。買物バッグ１は、底面材３と、底面材３に立設された側面材４と、上部に開口部５とを有するバッグ本体２からなり、該バッグ本体２の内面側には断熱用のアルミシート材１０が装着されている。
【００１１】
バッグ本体２は、汎用の買物カゴ（レジカゴ）Ａ内に収まる形状であればよく、例えば、幅約４０ｃｍ、奥行き約２８ｃｍ、深さ約２６ｃｍ程度の大きさで、バッグ本体２の上部が底部よりやや大形に形成されている。また、バッグ本体２の下方周囲には厚手の帆布６が被覆され、両側面材４には手提げ紐７が縫製されている。
【００１２】
また、図２に示すように、底面材３と側面材４のバッグ本体２内面側には、断熱用のアルミシート材１０が装着されている。かかるアルミシート材１０は、バッグ本体２内に収容させた商品、特に、加熱または冷凍した食品の温度保持に効果を奏する。
【００１３】
アルミシート材１０は、不織布からなる基材１１にアルミシート１２を接着剤により装着して形成されている。なお、基材１１にアルミシート１２を接着させる接着剤の種類は特に限定されるものではない。
【００１４】
また、基材１１にアルミを蒸着させてもよい。蒸着方法として、真空内でアルミニウムを蒸発させ、基材１１の表面に薄膜状のアルミ層１３を形成する。この際、基材１１は不織布に限定されず、ナイロンやポリエチレン等の合成樹脂シートを使用してもよい。
【００１５】
本考案の買物バッグの他の好適一実施の形態として、バッグ本体２に、バッグ本体２を底面材３にて二つ折りに折り畳むことができるファスナー２０を装着することができる。かかるファスナー２０は、帆布６の下方であって、底面材３の周囲に装着されている。また、ファスナー２０の連結材２１は、底面材３の長手方向略中央に配設されており、基端２２は、連結材２１と対向する側の底面材３の長手方向略中央に配設されている。
【００１６】
また、本考案の買物バッグの更なる他の好適一実施の形態として、バッグ本体２の開口部５に巾着材３０を装着することができる。かかる巾着材３０は柔軟なシート材からなり、閉紐３１を操作することにより、開口部３２を自在に開閉することができる。そのようにすることにより、バッグ本体２内の商品を直射日光から護り、かつ収容された商品を外部から見られることを防ぐ。
【００１７】
次に、本考案の買物バッグの折り畳み方法を図３および図４に基づいて説明する。
図３の（ａ）は、内部に商品の入っていない状態の買物バッグ１であり、この状態で（ｂ）に示すように、側面材４ａの一方を内側に折り畳む。次に、（ｃ）に示すように、反対側の側面材４ｂを、既に折り畳んだ側面材４ａの上面に重ねる状態に折り畳む。
【００１８】
図４の（ａ）は、二つの側面材４ａ、４ｂを折り畳んだ状態で、残った側面材のうち、一方の側面材４ｃを内側に折り畳んだ状態である。その後（ｂ）に示すように、残りの側面材４ｄを側面材４ｃの上に重ねて折り畳む。
【００１９】
全ての側面材を折り畳んだ後、（ｃ）に示すように、一方の底面材３ａを中央部分より折り曲げ、他方の底面材３ｂ上に重ね合わせる。その後、（ｄ）に示すように、ファスナー２０の連結材２１を側面周囲に沿って基端２２まで移動させて連結する。このようにして、バッグ本体２を底面材３の二つ折サイズにコンパクトに折り畳むことができる。
【図面の簡単な説明】
【００２０】
【図１】本考案の買物バッグの全体斜視図である。
【図２】前記買物バッグの断面図である。
【図３】買物バッグを側面材より折り畳む状態を示す。
【図４】前記買物バッグを底面材より折り畳む状態を示す。
【符号の説明】
【００２１】
１    買物バッグ  
２    バッグ本体
３    底面材
４    側面材    
５    開口部  
６    帆布  
７    手提げ紐  
１０  アルミシート材
１１  基材
１２  アルミシート
１３  アルミ層
２０  ファスナー
２１  連結材
２２  基端
３０  巾着材
３１  閉紐
３２  開口部
Ａ    買物カゴ
【図１】
0003136413.tif 000003
【図２】
0003136413.tif 000004
【図３】
0003136413.tif 000005
【図４】
0003136413.tif 000006